(57)【要約】【課題】病院等の施設において、トイレで発生した異常事態を早期に検知することができ、当該異常事態に対して迅速に対処することができるトイレ監視システムを提供すること。【解決手段】トイレ監視システムは、防災センター１０を有する施設のトイレに適用されるものであり、防災センター１０に設けられた制御装置および警報装置１４と、トイレの個室の扉に設置され、扉の鍵の開閉状態を示す信号を制御装置に出力する鍵センサ２４と、を備え、制御装置が、扉の鍵の閉状態が所定時間継続した場合に、警報装置１４を介して警報を発する。【選択図】図１
2018198023.tif 000002
【特許請求の範囲】
【請求項１】
防災センターを有する施設のトイレに適用されるトイレ監視システムであって、
前記防災センターに設けられた制御装置および警報装置と、
前記トイレの個室の扉に設置され、前記扉の鍵の開閉状態を示す信号を前記制御装置に出力する鍵センサと、
を備え、
前記制御装置は、前記扉の鍵の閉状態が所定時間継続した場合に、前記警報装置を介して警報を発することを特徴とするトイレ監視システム。
【発明の詳細な説明】
【技術分野】
【０００１】
本発明は、トイレ監視システムに関する。
【背景技術】
【０００２】
従来、病院等の施設のトイレには、個室内や手洗い器付近に呼出ボタンが設置されており、トイレの利用者に何らかの異常事態が発生した場合、この呼出ボタンを押すことにより、看護師や警備員が駆け付ける運用がなされている。例えば特許文献１には、トイレ内に非常呼出ボタンを設置した呼出システムが開示されている。
【先行技術文献】
【特許文献】
【０００３】
【特許文献１】特開２００２−１４０７８２号公報
【発明の概要】
【発明が解決しようとする課題】
【０００４】
しかしながら、特許文献１で開示された呼出システムでは、例えば利用者が、トイレ内で呼出ボタンを押すことなく転倒したり、あるいは意識を喪失したりした場合、このような事態を検知することができないという問題がある。
【０００５】
本発明は、上記に鑑みてなされたものであって病院等の施設において、トイレで発生した異常事態を早期に検知することができ、当該異常事態に対して迅速に対処することができるトイレ監視システムを提供することを目的とする。
【課題を解決するための手段】
【０００６】
上述した課題を解決し、目的を達成するために、本発明に係るトイレ監視システムは、防災センターを有する施設のトイレに適用されるトイレ監視システムであって、前記防災センターに設けられた制御装置および警報装置と、前記トイレの個室の扉に設置され、前記扉の鍵の開閉状態を示す信号を前記制御装置に出力する鍵センサと、を備え、前記制御装置は、前記扉の鍵の閉状態が所定時間継続した場合に、前記警報装置を介して警報を発することを特徴とする。
【発明の効果】
【０００７】
本発明によれば、トイレの個室の扉の開閉状態を常時把握することが可能であるため、トイレで発生した異常事態を早期に検知することができ、当該異常事態に対して迅速に対処することができる。
【図面の簡単な説明】
【０００８】
【図１】図１は、本発明の実施形態に係るトイレ監視システムの構成を示すブロック図である。
【図２】図２は、本発明の実施形態に係るトイレ監視システムにおける鍵センサの構成を示す図である。
【発明を実施するための形態】
【０００９】
以下、本発明の実施形態に係るトイレ監視システムについて、図面を参照しながら説明する。なお、本発明は以下の実施形態に限定されるものではない。
【００１０】
本発明の実施形態に係るトイレ監視システムは、病院等の施設のトイレに適用されるシステムであり、病院内に設けられた既設の呼出表示システムに組み込まれる形で設けられる。以下では、まず病院の呼出表示システムの説明をした上で、本実施形態に係るトイレ監視システムの説明を行う。
【００１１】
病院の呼出表示システムでは、図１に示すように、防災センター１０に制御器１１、サーバ１２、モニタ１３および警報装置１４が、外来用トイレ２０にトイレ用呼出ボタン２１、廊下灯２２および復旧ボタン２３が、外来ブロック３０にトイレ用呼出ボタン３１、廊下灯３２、復旧ボタン３３および呼出表示器３４が、外来患者用受付４０に緊急呼出ボタン４１およびアンテナ４２が設けられている。なお、前記した「外来ブロック」とは、病院の中で外来患者が利用するエリアを指し、「外来患者用受付」には、例えば病院の総合受付、薬局受付、入院受付が含まれる。
【００１２】
また、防災センター１０の制御器１１と、外来用トイレ２０の廊下灯２２、外来ブロック３０の呼出表示器３４および外来患者用受付４０のアンテナ４２とは、信号線で接続されており、信号の入出力が可能となっている。なお、復旧ボタン２３，３３は、廊下灯２２，３２を消灯するためのボタンである。また、防災センター１０に設けられた制御器１１およびサーバ１２は、本実施形態における制御装置として機能する。従って、以降の説明では、制御器１１およびサーバ１２をまとめて「制御装置」と表記する。
【００１３】
このような呼出表示システムでは、例えば外来用トイレ２０の利用者に異常事態が発生し、当該利用者によってトイレ用呼出ボタン２１が押されると、制御装置によって廊下灯２２を点灯させ、周囲にいる人（例えば病院関係者や外来患者）に対して異常事態を報知する。また同時に、制御装置は、モニタ１３を介して警告を表示したり、あるいは警報装置１４を介して警報を発したりすることにより、防災センター１０にいる警備員に対して異常事態を報知する。
【００１４】
また、呼出表示システムでは、例えば外来ブロック３０のトイレの利用者に異常事態が発生し、当該利用者によってトイレ用呼出ボタン３１が押されると、制御装置によって廊下灯２２を点灯させ、周囲にいる人に対して異常事態を報知する。また同時に、制御装置は、例えば呼出表示器３４を介して、周囲にいる人に対して異常事態を報知する。
【００１５】
さらに、呼出表示システムでは、外来患者用受付４０で異常事態が発生し、無線式の緊急呼出ボタン４１が押されると、アンテナ４２を介して防災センター１０の制御器１１に呼出信号が出力される。これを受けて、制御装置は、モニタ１３を介して警告を表示したり、あるいは警報装置１４を介して警報を発したりすることにより、防災センター１０にいる警備員に対して異常事態を報知する。
【００１６】
本実施の形態に係るトイレ監視システムは、上記のような呼出表示システムに組み込まれて運用される。トイレ監視システムは、具体的には、制御器１１およびサーバ１２からなる制御装置と、モニタ１３と、警報装置１４と、鍵センサ２４と、から構成される。
【００１７】
鍵センサ２４は、例えばマグネットセンサ等で構成されており、図２に示すように、外来用トイレ２０に設けられた各個室の扉２５に設置されている。この鍵センサ２４は、防災センター１０の制御器１１と信号線で接続されており、扉２５の鍵の開閉状態を示す信号を、制御器１１に対して出力可能に構成されている。これにより、制御装置は、個室ごとの鍵の開閉状態を一括管理する。
【００１８】
制御装置は、外来用トイレ２０の個室に入ったまま出てこない残留者がいる場合、防災センター１０に異常事態を報知する。すなわち制御装置は、扉２５の鍵の閉状態が所定時間継続している場合、モニタ１３を介して警告を表示したり、あるいは警報装置１４を介して警報を発したりすることにより、防災センター１０の警備員に対して異常事態を報知する。なお、扉２５の鍵の閉状態の継続時間は、状況に応じて任意の長さに設定することができる。
【００１９】
以上のような構成を備えるトイレ監視システムによれば、外来用トイレ２０の個室の扉２５の開閉状態を常時把握することが可能であるため、トイレ用呼出ボタン２１が押されていない状況においても、外来用トイレ２０の個室内で発生した異常事態を早期に検知することができ、当該異常事態に対して迅速に対処することができる。
【００２０】
以上、本発明に係るトイレ監視システムについて、発明を実施するための形態により具体的に説明したが、本発明の趣旨はこれらの記載に限定されるものではなく、特許請求の範囲の記載に基づいて広く解釈されなければならない。また、これらの記載に基づいて種々変更、改変等したものも本発明の趣旨に含まれることはいうまでもない。
【００２１】
例えば、図１および図２では、外来用トイレ２０の個室の扉２５に鍵センサ２４を設置することにより、外来用トイレ２０に本実施形態に係るトイレ監視システムを構築した例について説明したが、例えば外来ブロック３０のトイレの個室の扉に鍵センサ２４を設置することにより、トイレ監視システムを外来ブロック３０まで拡大してもよい。
【００２２】
また、図１では、本実施形態に係るトイレ監視システムが病院に適用される例について説明したが、トイレ監視システムは、その他にも、老人ホームのトイレや公衆トイレ等にも適用可能である。
【符号の説明】
【００２３】
１０  防災センター
１１  制御器
１２  サーバ
１３  モニタ
１４  警報装置
２０  外来用トイレ
２１  トイレ用呼出ボタン
２２  廊下灯
２３  復旧ボタン
２４  鍵センサ
２５  扉
３０  外来ブロック
３１  トイレ用呼出ボタン
３２  廊下灯
３３  復旧ボタン
３４  呼出表示器
４０  外来患者用受付
４１  緊急呼出ボタン
４２  アンテナ
【図１】
2018198023.tif 000003
【図２】
2018198023.tif 000004